(57)【要約】【課題】本発明は移動通信交換機等の通信装置と接続するＡＴＭ回線多重化装置間をＡＴＭ網を介して通信を行うＡＴＭシステムにおけるＶＣ−ＡＩＳ警報転送方法及び装置に関し，ＶＣ−ＡＩＳセルの廃棄を防止することを目的とする。【解決手段】通信装置からの信号受信障害による回線障害を検出した一方のＡＴＭ回線多重化装置で発生したＶＣ−ＡＩＳセルが帯域設定されたシェーパ部とＡＴＭ網を通って他方のＡＴＭ回線多重化装置で受信すると，他方のＡＴＭ回線多重化装置のシェーパ部のセルロス数をカウントし，ＶＣ−ＡＩＳセルの伝送方向と反対方向の伝送路から受信したＶＣ−ＲＤＩセルにセルロス数を設定して，一方のＡＴＭ回線多重化装置側へ送信し，一方の回線多重化装置は，ＶＣ−ＲＤＩセルに設定されたセルロス数を抽出して，ＶＣ−ＡＩＳセルを伝送するシェーパ部におけるセル間隔の制御に抽出したセルロス数を使用するよう構成する。【選択図】      図１
2004289543.tif 000002
【特許請求の範囲】
【請求項１】
移動通信交換機等の通信装置と接続するＡＴＭ回線多重化装置間をＡＴＭ網を介して通信を行うＡＴＭシステムにおけるＶＣ−ＡＩＳ警報転送方法において，
前記通信装置からの信号受信障害による回線障害を検出した一方のＡＴＭ回線多重化装置で発生したＶＣ−ＡＩＳセルが帯域設定されたシェーパ部を通って前記ＡＴＭ網を通って他方のＡＴＭ回線多重化装置で受信すると，前記他方のＡＴＭ回線多重化装置のシェーパ部におけるセルロス数をカウントし，前記ＶＣ−ＡＩＳセルの伝送方向と反対方向の伝送路から受信したＶＣ−ＲＤＩセルに前記セルロス数を設定して，前記一方のＡＴＭ回線多重化装置側へ送信し，
前記一方の回線多重化装置は，前記ＶＣ−ＲＤＩセルに設定されたセルロス数を抽出して，前記ＶＣ−ＡＩＳセルを伝送するシェーパ部におけるセル間隔の制御に前記抽出したセルロス数を使用することを特徴とするＡＴＭシステムにおけるＶＣ−ＡＩＳ警報転送方法。
【請求項２】
請求項１において，
前記セルロス数のカウントを行う時，予め設定された一定時間におけるセルロス数をカウントすることを特徴とするＡＴＭシステムにおけるＶＣ−ＡＩＳ警報転送方法。
【請求項３】
移動通信交換機等の通信装置と接続するＡＴＭ回線多重化装置間をＡＴＭ網を介して通信を行うＡＴＭシステムにおけるＶＣ−ＡＩＳ警報転送のためのＶＣ−ＡＩＳ警報転送装置であって，
前記通信装置からの信号受信障害による回線障害を検出した一方のＡＴＭ回線多重化装置で発生したＶＣ−ＡＩＳセルが帯域設定されたシェーパ部を通って前記ＡＴＭ網を介して送られてくる他方のＡＴＭ回線多重化装置は，前記他方のＡＴＭ回線多重化装置のシェーパ部において発生するセルロス数をカウントするセルロス数カウント部と，前記ＶＣ−ＡＩＳセルの伝送方向と反対方向から送られてくるＶＣ−ＲＤＩセルに前記セルロス数カウント部でカウントしたセルロス数を設定して，前記一方のＡＴＭ回線多重化装置側へ送信する手段を備え，
前記一方のＡＴＭ回線多重化装置は，前記ＶＣ−ＲＤＩセルに設定されたセルロス数を抽出する手段と，前記ＶＣ−ＡＩＳセルを伝送するシェーパ部のセル間隔の制御のためのセル間隔設定部に前記抽出したセルロス数を設定することを特徴とするＡＴＭシステムにおけるＶＣ−ＡＩＳ警報転送装置。
【発明の詳細な説明】
【０００１】
【発明の属する技術分野】
本発明は移動通信用交換機や移動通信基地局等の移動通信装置間をＡＴＭ回線多重化装置及びＡＴＭ網を介して通信を行うＡＴＭシステムにおけるＶＣ（Ｖｉｒｔｕａｌ  Ｃｈａｎｎｅｌ）−ＡＩＳ（Ａｌａｒｍ  Ｉｎｄｉｃａｔｉｏｎ  Ｓｉｇｎａｌ）警報転送方法及び装置に関する。
【０００２】
移動通信装置（交換機や基地局等）は，それぞれ多数の移動機（携帯電話機）と無線により通信を行い，複数の移動通信装置はＡＴＭ回線多重化装置においてＡＴＭセルに変換されて多重化されて，ＡＴＭ網を介して伝送されるＡＴＭシステムが知られている。このような，ＡＴＭシステムにおいて，移動通信装置とＡＴＭ回線多重化装置との回線に異常が発生すると，その回線に設定されたＶＣ（Ｖｉｒｔｕａｌ  Ｃｈａｎｎｅｌ）毎にＶＣ−ＡＩＳセルが相手側に送信され，これを受けた相手側装置からＶＣ−ＲＤＩ（Ｒｅｍｏｔｅ  Ｄｉｔｅｃｔ  Ｉｎｄｉｃａｔｉｏｎ）  のセルが逆方向に送り返されてくると，回線異常を発生した回線の相手側で回線異常を検出することができる。
【０００３】
ところが，ＶＣ−ＡＩＳセルのバーストが発生するとＡＴＭ回線多重化装置内の帯域を調整する機能によりＶＣ−ＡＩＳセルが廃棄される場合があり，その場合はＶＣ−ＡＩＳセルに対応するＶＣ−ＲＤＩのセルが送り返されなくなり，異常を検出することができなくなる。
【０００４】
【従来の技術】
図７はＡＴＭシステムの構成例であり，本発明の対象となる構成である。図中，５０は国際規格に対応したＩＭＴ（Ｉｎｔｅｒｎａｔｉｏｎａｌ  Ｍｏｂｉｌｅ  Ｔｅｌｅｃｏｍｍｕｎｉｃａｔｉｏｎ）  交換機，５１はＩＭＴ交換機５０と接続した複数の基地局であり，これらの各基地局５１はそれぞれが周辺の多数の携帯電話機と無線で通信を行う。５２，５３はＩＭＴの規格より前に普及していた規格に対応したＰＤＣ（Ｐｅｒｓｏｎａｌ  Ｄｉｇｉｔａｌ  Ｃｏｍｍｕｎｉｃａｔｉｏｎ）  基地局（♯１），（♯２），５４はＡＴＭ回線多重化装置（♯１），５４０はＩＭＴ交換機５０に対応して設けられシェーパ（ＡＴＭセルの間隔を所定の速度になるよう調整する装置）を内蔵するインタフェース（ＩＦで表示），５４１，５４２はそれぞれＰＤＣ基地局５２，５３に対応して設けられたインタフェース，５４３は多重部（ＭＵＸ），５４４はシェーパ，５５はＡＴＭ網，５６はＡＴＭ回線多重化装置（♯２），５６０は分離部（ＤＭＵＸ），５６１〜５６３はインタフェースを構成するシェーパ，５７はＡＴＭ交換機，５８，５９はＰＤＣ基地局（♯３），（♯４）である。
【０００５】
ＩＭＴ交換機５０の複数の基地局５１は無線で周辺の携帯電話機（図示省略）と通信を行い，例えば１３０Ｍｂｐｓ程度の伝送速度を備え，このＩＭＴ交換機５０はＡＴＭ回線多重化装置５４と通信を行い，ＩＭＴ交換機５０から送信されたＡＴＭセルの信号（上りの信号とする）はＡＴＭ回線多重化装置５４に入力しインタフェース５４０を通って多重部５４３へ入力し，他のインタフェース５４１，５４２から入力するＡＴＭセルと共にＡＴＭ回線多重化装置５４で多重化され，ＡＴＭ網５５を通って相手ＡＴＭ回線多重化装置５６へ入力する。ＡＴＭ回線多重化装置５６の分離部５６０で各シェーパ５６１〜５６３へセルを分離し，分離した各セルはそれぞれＡＴＭ交換機５７，ＰＤＣ基地局５８，ＰＤＣ基地局５９に送られる。なお，逆方向のＡＴＭセルについても逆の方向の経路及び装置（図示省略）を通って送信される。
【０００６】
このようなＡＴＭシステムにおいて，例えば，図７の（１）  に示すようにＩＭＴ交換機５０からＡＴＭ回線多重化装置５４に向かう上りの回線に異常が発生した場合，ＡＴＭ回線多重化装置５４のインタフェース５４０において受信できなくなるＶＣを検出できる。この場合，従来のＡＴＭの技術により図７の（２）  で示すようにＶＣ−ＡＩＳセルが発生する。これは設定されている全ての設定コネクションのＶＣに対応したＶＣ−ＡＩＳセル（ＡＴＭセル）が相手側に送信される。このＶＣ−ＡＩＳセルは，多重部（ＭＵＸ）５４３，シェーパ５４４，ＡＴＭ網５５，（３）  の伝送路を通ってＡＴＭ回線多重化装置５６へ入力し，分離部５６０で分離されてシェーパ５６１を通って（４）  の伝送路を通ってＩＭＴ交換機５０に達する。
【０００７】
ＡＴＭ交換機５７ではＶＣ−ＡＩＳセルを受け取ると，回線異常が発生した個所の送信元側（ＩＭＴ交換機５０とこれに接続された基地局５１）に対して上りの回線に異常が発生したことを知らせるため，１秒間に１回の周期で保守管理用に決められているＶＣ−ＲＤＩ（Ｒｅｍｏｔｅ  Ｄｉｔｅｃｔ  Ｉｎｄｉｃａｔｉｏｎ：遠隔検出表示）  のセルをＶＣ−ＡＩＳセルとは反対の方向に送信する。このＶＣ−ＲＤＩにはＶＣ−ＡＩＳセルに含まれたのと同じＶＣ（チャネル番号）が設定されており，ＡＴＭ回線多重化装置５６，ＡＴＭ網５５，ＡＴＭ回線多重化装置５４のインタフェース５４０から下りの回線（上りの回線は異常）を通ってＩＭＴ交換機５０に達し，更にそのＶＣを使用する基地局５１に送られる。このＶＣ−ＲＤＩを検出したＩＭＴ交換機５０や基地局５１では，上り回線に異常が発生していることを識別して，相手への送信ができないことを認識する。
【０００８】
図８にＶＣ−ＡＩＳ送信の動作例を示す。図中，５０，５２，５４，５４０，５４１，５４３，５４４は上記図７に設けたものと同一のものを表し，５０はＩＭＴ交換機，５２はＰＤＣ基地局，５４はＡＴＭ回線多重化装置，５４０，５４１はインタフェース（ＩＦ），５４３は多重部，５４４はシェーパである。インタフェース５４０内の５４０ａはＶＣ−ＡＩＳ生成部を表す。
【０００９】
ＩＭＴ交換機５０からのＡＴＭ回線多重化装置５４へ信号を伝送する回線に異常が発生して，インタフェース５４０でその異常を検出することで，ＶＣ−ＡＩＳ生成部５４０ａが全ての設定コネクションに対応したＶＣ−ＡＩＳを生成するが，ＶＣ−ＡＩＳに対してはＡＴＭ網の仕様により次のように規定されている。
【００１０】
（１）  ＶＣ−ＡＩＳは１ＶＣあたり１秒に１セルの割合で送出する。
【００１１】
（２）  ＶＣ−ＡＩＳの送信間隔は他のコネクション（図８の例ではＰＤＣ基地局５２からのＰＤＣユーザセル）の伝送に影響を与えないように十分な間隔をあける。
【００１２】
図９はＶＣ−ＡＩＳ伝送時の問題点説明図である。図９において，５４，５４０〜５４４，５６，５６０〜５６３は上記図７の同一符号の各部と同じであり，説明を省略する。
【００１３】
ＡＴＭ回線多重化装置５４の多重化部５４３はインタフェース５４０〜５４２の３方路からのセル競合があり，多重化後のシェーパ５４４で最大３セル分の待合せが発生する可能性がある。シェーパ５４４での待合せにより詰まった間隔は，対向のＡＴＭ回線多重化装置５６の分離部５６０まで伝搬し，分離部５６０を通過後のシェーパ５６１に達する。従って，回線異常（図７の（１）  で示す）が発生して，ＶＣ−ＡＩＳセルが発生（図７の（２）  で示す）すると，このＡＴＭシステムにおける多重部５４３の後の送信用のシェーパ５４４と分離部５６０の後の送信用のシェーパ５６１は，ＶＣ−ＡＩＳを伝送するには３セル以上を確保する必要がある。
【００１４】
しかし，ＡＴＭ回線多重化装置５６がＡＴＭ網５５と接続する回線の設定帯域（図９中の（３）  で示す）とＡＴＭ交換機５７（図７）と接続している回線の設定帯域（図９中の（４）  で示す）に対応したシェーパ設定により，ＶＣ−ＡＩＳセルの伝送時にシェーパ５６１においてセルがバーストしてＶＣ−ＡＩＳが廃棄（セルロス）される場合がある。シェーパでセルロスが発生すると，ＶＣ−ＡＩＳセルがＩＭＴ交換機５０へ届かなくなり，それに応じてＶＣ−ＲＤＩが発生しなくなるため，ＩＭＴ交換機５０とＡＴＭ回線多重化装置５４間での故障発生をＩＭＴ交換機５０で識別することができなくなる。
【００１５】
このようなＡＴＭ装置におけるＶＰ／ＶＣ−ＡＩＳセルの増加とまたは障害状態の長期発生に伴い，伝送路におけるＶＣ−ＡＩＳセルとＶＰ／ＶＣ−ＲＤＩセルの数が増加して，他ユーザ使用チャネルの通信の妨げになるのを防止するための技術が知られている（特許文献１参照）。
【００１６】
その特許文献１の技術では，ＡＴＭ装置の各々は，ＶＣ−ＡＩＳの送信間隔時間及びＶＣ−ＲＤＩの受信監視時間を伝送路状態や装置状態に応じて，定期的に算出する機能を設け，これら算出時間をＡＩＳセルに設定して，他のＡＴＭ装置へ通知する。ＶＣ−ＡＩＳセルを受信した各ＡＴＭ装置は，時間比較決定部で，ＡＩＳセルに設定された算出時間と自装置での算出時間を比較して，自装置での算出時間が大なる時に当該ＶＣ−ＡＩＳセルに設定されている時間を書換え更新する。こうして，このＶＣ−ＡＩＳセルに設定される時間は複数のＡＴＭ装置のうちの最大の時間になり，この最大時間に従ってＡＩＳセルの送信及び受信監視を行い，警報転送のためのＶＣ−ＡＩＳセルの送出を最小限にとることができる。
【００１７】
【特許文献１】
特開２００１−３３９３９６号公報
【００１８】
【発明が解決しようとする課題】
上記の図９に示すように，従来技術では，シェーパでセルロスが発生すると，ＶＣ−ＡＩＳが対抗するＡＴＭ交換機５７（図７参照）へ届かなくなり，それに応じてＶＣ−ＲＤＩが発生しなくなるため，障害が発生した回線の送信側の装置（図９のＩＭＴ交換機５０）で故障発生を検出することができなくなり，システムの保守運用上重大な問題となる。
【００１９】
また，上記特許文献１の技術では各ＡＴＭ装置で伝送路状態に応じてＶＣ−ＡＩＳの送信間隔時間とＶＣ−ＲＤＩの受信監視時間を算出し，ＡＩＳセルを受信したＡＴＭ装置では自装置での算出時間と受信セルに設定された時間を比較する処理を行う等で複雑な計算と処理を経路上の各ＡＴＭ装置で行う必要があるという問題がある。
【００２０】
本発明はＶＣ−ＡＩＳセル廃棄を防止することが可能なＡＴＭシステムにおけるＶＣ−ＡＩＳ警報転送方法及び装置を提供することを目的とする。
【００２１】
【課題を解決するための手段】
図１は本発明の原理構成を示す。図中，１，２はＡＴＭ回線多重化装置，３はＡＴＭ網，４，５はＩＭＴ交換機である。この図１は説明の便宜上，ＡＴＭ回線多重化装置１はＶＣ−ＡＩＳセルを送信し，ＶＣ−ＲＤＩセルを受信する側，ＡＴＭ回線多重化装置２はＶＣ−ＡＩＳセルを受信し，ＶＣ−ＲＤＩセルを送信する側として説明するが，一つのＡＴＭ回線多重化装置に１，２の両方の機構を備えることができ，図１にはＩＭＴ交換機４からＡＴＭ回線多重化装置１の方向へ信号を伝送する回線に障害が発生した場合に機能する主要な機構だけを示した。
【００２２】
ＡＴＭ回線多重化装置１内の１ａはＩＭＴ交換機４からの回線の信号を検出し，回線障害の発生を検出すると障害に対応するＶＣについて，ＶＣ−ＡＩＳセルを生成するＶＣ−ＡＩＳ生成部，１ｂは多重部，１ｃはシェーパ部，１ｄはシェーパ部１ｃによるセル送出間隔を設定するセル間隔設定部，１ｅはＶＣ−ＲＤＩセルへのセルロス数抽出部，１ｆは分離部である。また，ＡＴＭ回線多重化装置２内の２ａは分離部，２ｂはＩＭＴ交換機５の方向へセルを送出するシェーパ部，２ｃはＶＣ−ＡＩＳ受信時のセルロス数カウント部，２ｄはＶＣ−ＲＤＩセルへのセルロス数設定部，２ｅは多重部である。
【００２３】
ＩＭＴ交換機４からＡＴＭ回線多重化装置１への回線に障害が発生すると，設定されたＶＣによる受信ができないことで，ＶＣ−ＡＩＳ生成部１ａでＶＣ−ＡＩＳセルを生成し，生成されたＶＣ−ＡＩＳセルは，多重部１ｂで他の回線からのセルと多重化されてシェーパ部１ｃからＡＴＭ網３を介してＡＴＭ回線多重化装置２のシェーパ部２ｂへ入力する。このシェーパ部２ｂにおいてＶＣ−ＡＩＳを受信するとＶＣ−ＡＩＳ受信時セルロス数カウント部２ｃがシェーパ部２ｂにおけるセルロス数をカウントする。このセルロス数カウント部２ｃは，予め決められた一定時間（例えば，１秒）内のセルロス数をカウントすると，カウントしたセルロス数をＶＣ−ＲＤＩセルへのセルロス数設定部２ｄに出力する。
【００２４】
ＶＣ−ＲＤＩへのセルロス数設定部２ｄは，ＩＭＴ交換機５から送られてくるＶＣ−ＲＤＩセル内の決められた位置にＶＣ−ＡＩＳ受信時セルロス数カウント部２ｃから供給されたセルロス数を設定し，そのＶＣ−ＲＤＩセルは，多重部２ｅを通って，ＡＴＭ網３を介してＡＴＭ回線多重化装置１へ伝送され，ＶＣ−ＲＤＩセルへのセルロス数抽出部１ｅにおいてＶＣ−ＲＤＩセルからセルロス数が抽出する。抽出したセルロス数はセル間隔設定部１ｄに設定され，セル間隔設定部１ｄのセルロス数に応じてシェーパ部１ｃはセルの送出間隔を制御する。すなわち，セルロス数が多い場合は，セルの送出間隔を長くし，セルロス数が少ないと間隔を短くするよう制御する。
【００２５】
こうして，ＡＴＭ回線多重化装置２のシェーパ部におけるＶＣ−ＡＩＳセルのセルロスを防止することができ，それに応じてＶＣ−ＲＤＩセルを確実に発生させることができ，ＡＴＭ回線多重化装置１を介して障害を発生した回線の相手側のＡＴＭ交換機４に通知することができる。
【００２６】
なお，図１に示すＡＴＭ回線多重化装置１とＡＴＭ回線多重化装置２は，異なる構成となっているが，実際には各ＡＴＭ回線多重化装置が図１のＡＴＭ回線多重化装置１と２の両方の構成を備えることにより，両方向のＶＣ−ＡＩＳセルの伝送に対して送出間隔の制御を行うことができる。
【００２７】
【発明の実施の形態】
図２はセルロス数カウント機構を設けたＡＴＭ回線多重化装置の実施例の構成図である。図中，２はＡＴＭ回線多重化装置，２０は伝送路３０とのインタフェース，２１はヘッダを除去したデータ列に対してＡＴＭ処理（ＡＡＬの処理）を行うＡＴＭ処理部，２２は伝送路５０とのインタフェースである。なお，図２ではインタフェース２０の内部構成を詳細に示すが，インタフェース２２の内部はインタフェース２０と対称的な同様の構成であり一部のブロックを除いて図示省略した。
【００２８】
インタフェース２０内の２０ａは伝送路から入力する光信号を電気信号に変換し，伝送路へ出力する電気信号を光信号に変換するＯ・Ｅ相互変換部，２０ｂは伝送路からの信号をデスクランブルするデスクランブラ（ＤＳＣＲ）と伝送路へ出力する信号をスクランブルするスクランブラ（ＳＣＲ）とを表すＤＳＣＲ／ＳＣＲ部，２０ｃは分離部，２０ｄはＶＣ−ＡＩＳ検出部，２０ｅはシェーパ部，２０ｆはセルロス数カウント部，２０ｇはＡＴＭセルを分解するデセル（ＤＣＥＬ）化部，２０ｈはＶＣ−ＲＤＩ検出部，２０ｉはＡＴＭセルに変換するセル（ＣＥＬ）化部，２０ｊはシェーパ部，２０ｋは多重部である。３０はＡＴＭ網（図１の３）と接続する伝送路，４０は伝送路３０と反対側のＩＭＴ交換機（図１の５）と接続する伝送路である。
【００２９】
図２の動作を説明すると，伝送路３０から受信した信号をＯ・Ｅ相互変換部２０ａで電気信号に変換し，ＤＳＣＲ／ＳＣＲ部２０ｂでデスクランブルされ，分離部２０ｃで処理対象のＶＣのセルが分離され，ＶＣ−ＡＩＳ検出部２０ｄでＶＣ−ＡＩＳが検出されるとセルロス数カウント部２０ｆを駆動してシェーパ部２０ｅにおいて発生するセルロス数をカウントする動作を行う。
【００３０】
このセルロス数カウント部２０ｆによるセルロス数のカウントと，ＶＣ−ＲＤＩセルによる転送の処理フローを図３により説明する。
【００３１】
図３はセルロス数のカウントと転送の処理フローを示す。この例ではセルロス数の計測時間を１０秒とし，最初にセルロス計測時間＝１０秒（初期値）を設定し（図３のＳ１），ＶＣ−ＡＩＳを受信したかＶＣ−ＡＩＳ検出部２０ｄで判別し（同Ｓ２），ＶＣ−ＡＩＳを受信した場合はシェーパ部でセルロスが発生したか判別し（同Ｓ３），発生しないとＶＣ−ＲＤＩ検出部２０ｈで検出したＶＣ−ＲＤＩセルにセルロス数＝０を挿入し（同Ｓ４）して，後述するステップＳ７に移行し，セルロスが発生した場合は，一定時間（この例では１０秒間）のセルロス数の計測をセルロス数カウント部２０ｆで行う（同Ｓ５）。セルロス数の計測を一定時間行うと，ＶＣ−ＲＤＩ検出部２０ｈで検出したＶＣ−ＲＤＩセルへセルロス数として計測数／計測時間（秒）を挿入し（図３のＳ６），ＶＣ−ＡＩＳを下位側（ＶＣ−ＡＩＳの送信方向）へ転送し，ＶＣ−ＡＩＳの発生元の方向（図２の伝送路３０の方向）にＶＣ−ＲＤＩセルを返信する（同Ｓ７）。
【００３２】
図４はＶＣ−ＲＤＩセルフォーマットの構成例を示す。図４のＡ．はＶＣ−ＲＤＩセルの構成，Ｂ．はセル内の各符号の意味を示す。
【００３３】
図４のＢ．に示すように，ＶＣ−ＲＤＩのヘッダ（先頭の５バイト）のＶＰＩ・ＶＣＩは，故障ＶＰＩと故障ＶＣＩを用い，ＰＴ（ペイロードタイプ）はＶＣ用ＯＡＭ（Ｏｐｅｒａｔｉｏｎ  Ａｎｄ  Ｍｅｎｔａｎａｎｃｅ）  セルを表す特定値（“１０１”の３ビット）であり，ＣＬＰ（セル・ロス・プライオリティ）は送出時は０であり，検出時は無視される。この後の情報フィールドの中の先頭（セルの第６バイト）には，ＯＡＭタイプとファンクション・タイプはそれぞれ特定値（図４のＢ．ではＶＣ−ＡＩＳについて説明しているが，ＶＣ−ＲＤＩも同じ）が設定され，故障種別，故障検出点として図４のＢ．に示す規定に従った表示が行われる。本発明によるセルロス数はこのＶＣ−ＲＤＩセルの情報フィールドの未使用領域を用い，Ａ．に示す例では，５２バイト目の第８ビット〜第２ビット（合計６ビット）に設定する。
【００３４】
このようにセルロス数が設定されたＶＣ−ＲＤＩセルはシェーパ部２０ｊ，多重部２０ｋを通って，Ｏ・Ｅ相互変換部２０ａから伝送路３０へ出力される。
【００３５】
図５はセル送出間隔制御機構を設けたＡＴＭ回線多重化装置の実施例の構成図である。図中，１はＡＴＭ回線多重化装置，１０は伝送路３０とのインタフェース，１１はヘッダを除去したデータ列に対してＡＴＭの処理を行うＡＴＭ処理部，１２は伝送路４０とのインタフェースである。なお，図５ではインタフェース１０の内部構成を詳細に示すが，インタフェース１２の内部はインタフェース１０と対称的な同様の構成であり一部のブロックを除いて図示省略した。
【００３６】
インタフェース１０内の１０ａはＡＴＭセルに変換するセル（ＣＥＬ）化部，１０ｂはシェーパ部，１０ｃはセル間隔設定部，１０ｄは多重部，１０ｅは伝送路へ出力する信号をスクランブルするスクランブラ（ＳＣＲ）と伝送路からの信号をデスクランブルするデスクランブラ（ＤＳＣＲ）とを表すＳＣＲ／ＤＳＣＲ部，１０ｆは伝送路から入力する光信号を電気信号に変換し，伝送路へ出力する電気信号を光信号に変換するＯ・Ｅ相互変換部，１０ｇは分離部，１０ｈはデセル（ＤＣＥＬ）化部，１０ｉはＶＣ−ＲＤＩセルからセルロス数を検出するセルロス数抽出部である。３０はＡＴＭ網（図１の３）と接続する伝送路，４０は伝送路３０と反対側のＩＭＴ交換機（図１の４）と接続する伝送路である。
【００３７】
図５の構成をＶＣ−ＲＤＩセルを抽出してセル送出間隔の制御を行う動作を中心に説明する。伝送路３０側からＶＣ−ＲＤＩが入力すると，Ｏ・Ｅ相互変換部１０ｆを通ってＳＣＲ／ＤＳＣＲ部１０ｅでデスクランブルされ，分離部１０ｇを通ってデセル化部１０ｈでデセル化される。この後，セルロス数抽出部１０ｉは，デセル化されたＶＣ−ＲＤＩセルに設定されたセルロス数をセルロス数抽出部１０ｉで抽出する。抽出したセルロス数はセル間隔設定部１０ｃに設定されるが，シェーパ部１０ｂはセル化部１０ａからＶＣ−ＡＩＳセルを受信していることを条件としてセル間隔設定部１０ｃに設定されたセルロス数によりセル送出間隔を制御する。すなわち，セルロス数が大きいと送出間隔を長くするよう制御する。
【００３８】
シェーパ部でのセル送出間隔調整の処理フローを図６に示す。図６において，最初にＶＣ−ＡＩＳ転送中か判別し（図６のＳ１），転送中の場合はＶＣ−ＡＩＳセルの送信方向とは逆方向からＶＣ−ＲＤＩセルを受信したか判別する（同Ｓ２）。ＶＣ−ＲＤＩセルを受信しないと，その他の伝送路の故障であると識別し（同Ｓ３），終了する。ＶＣ−ＲＤＩセルを受信した場合は，ＶＣ−ＲＤＩセル内のセルロス数を抽出し（図６のＳ４），セルロス数＝０か判別し（同Ｓ５），０の場合は処理を終了し，０でない場合は現状のＶＣ−ＡＩＳ送出間隔をＶＣ−ＲＤＩセルのセルロス数から設定を変更し（同Ｓ６），Ｓ１の処理に戻る。
【００３９】
（付記１）  移動通信交換機等の通信装置と接続するＡＴＭ回線多重化装置間をＡＴＭ網を介して通信を行うＡＴＭシステムにおけるＶＣ−ＡＩＳ警報転送方法において，前記通信装置からの信号受信障害による回線障害を検出した一方のＡＴＭ回線多重化装置で発生したＶＣ−ＡＩＳセルが帯域設定されたシェーパ部を通って前記ＡＴＭ網を通って他方のＡＴＭ回線多重化装置で受信すると，前記他方のＡＴＭ回線多重化装置のシェーパ部におけるセルロス数をカウントし，前記ＶＣ−ＡＩＳセルの伝送方向と反対方向の伝送路から受信したＶＣ−ＲＤＩセルに前記セルロス数を設定して，前記一方のＡＴＭ回線多重化装置側へ送信し，前記一方の回線多重化装置は，前記ＶＣ−ＲＤＩセルに設定されたセルロス数を抽出して，前記ＶＣ−ＡＩＳセルを伝送するシェーパ部におけるセル間隔の制御に前記抽出したセルロス数を使用することを特徴とするＡＴＭシステムにおけるＶＣ−ＡＩＳ警報転送方法。
【００４０】
（付記２）  付記１において，前記セルロス数のカウントを行う時，予め設定された一定時間におけるセルロス数をカウントすることを特徴とするＡＴＭシステムにおけるＶＣ−ＡＩＳ警報転送方法。
【００４１】
（付記３）  移動通信交換機等の通信装置と接続するＡＴＭ回線多重化装置間をＡＴＭ網を介して通信を行うＡＴＭシステムにおけるＶＣ−ＡＩＳ警報転送のためのＶＣ−ＡＩＳ警報転送装置であって，前記通信装置からの信号受信障害による回線障害を検出した一方のＡＴＭ回線多重化装置で発生したＶＣ−ＡＩＳセルが帯域設定されたシェーパ部を通って前記ＡＴＭ網を介して送られてくる他方のＡＴＭ回線多重化装置は，前記他方のＡＴＭ回線多重化装置のシェーパ部において発生するセルロス数をカウントするセルロス数カウント部と，前記ＶＣ−ＡＩＳセルの伝送方向と反対方向から送られてくるＶＣ−ＲＤＩセルに前記セルロス数カウント部でカウントしたセルロス数を設定して，前記一方のＡＴＭ回線多重化装置側へ送信する手段を備え，前記一方のＡＴＭ回線多重化装置は，前記ＶＣ−ＲＤＩセルに設定されたセルロス数を抽出する手段と，前記ＶＣ−ＡＩＳセルを伝送するシェーパ部のセル間隔の制御のためのセル間隔設定部に前記抽出したセルロス数を設定することを特徴とするＡＴＭシステムにおけるＶＣ−ＡＩＳ警報転送装置。
【００４２】
（付記４）  付記３において，前記セルロス数カウント部は予め決められた一定時間内のセルロス数をカウントし，前記ＶＣ−ＲＤＩセル内の情報フィールドの一部に前記セルロス数と前記一定時間とを設定して送信することを特徴とするＡＴＭシステムにおけるＶＣ−ＡＩＳ警報転送装置。
【００４３】
【発明の効果】
本発明によればＡＴＭ回線多重化装置がＡＴＭ網と接続している場合に，ＡＴＭ網から入力して他の通信網（ＩＭＴ交換機等）に出力する位置に設けられて，設定帯域で動作するシェーパにおいてセルがバーストしてＶＣ−ＡＩＳが廃棄（セルロス）する可能性があっても，セルロス廃棄を防止するよう制御することにより，ＶＣ−ＡＩＳを通知することで，ＶＣ−ＲＤＩを確実に発生させることで送信側の装置で故障発生を検出することができ，ＡＴＭシステムの保守運用性を向上することができる。
【図面の簡単な説明】
【図１】本発明の原理構成を示す図である。
【図２】セルロス数カウント機構を設けたＡＴＭ回線多重化装置の実施例の構成を示す図である。
【図３】セルロス数のカウントと転送の処理フローを示す図である。
【図４】ＶＣ−ＲＤＩセルフォーマットの構成例を示す図である。
【図５】セル送出間隔制御機構を設けたＡＴＭ回線多重化装置の実施例の構成を示す図である。
【図６】シェーパ部でのセル送出間隔調整の処理フローを示す図である。
【図７】ＡＴＭシステムの構成例を示す図である。
【図８】ＶＣ−ＡＩＳ送信の動作例を示す図である。
【図９】ＶＣ−ＡＩＳ伝送時の問題点説明図である。
【符号の説明】
１，２    ＡＴＭ回線多重化装置
３        ＡＴＭ網
４，５    ＩＭＴ交換機
１ａ      ＶＣ−ＡＩＳ生成部
１ｂ      多重部
１ｃ      シェーパ部
１ｄ      セル間隔設定部
１ｅ      セルロス数抽出部
１ｆ      分離部
２ａ      分離部
２ｂ      シェーパ部
２ｃ      セルロス数カウント部
２ｄ      セルロス数設定部
２ｅ      多重部
【図１】
2004289543.tif 000003
【図２】
2004289543.tif 000004
【図３】
2004289543.tif 000005
【図４】
2004289543.tif 000006
【図５】
2004289543.tif 000007
【図６】
2004289543.tif 000008
【図７】
2004289543.tif 000009
【図８】
2004289543.tif 000010
【図９】
2004289543.tif 000011